(57)【要約】【課題】従来の蓄積装置を備えないデジタル放送受信装置はデジタル放送の映像を受信機の内部でデコードし映像音声を出力する手段しかないため、デジタルのストリームを蓄積したり、また、蓄積されたストリームを再生させることができないという課題があった。【解決手段】放送業者１１から放送により配信されるデジタル放送のストリームを、ネットワーク蓄積端末１２が受け、広域のブロードバンドのネットワーク１４を経由し、サービスセンター側にある蓄積サーバ１５にデジタル放送のストリームを蓄積し、ネットワーク蓄積端末１２側からのネットワーク１４を経由し再生の要求があった場合、蓄積サーバ１５は要求のあったストリームをネットワーク１４を経由し配信し、ネットワーク蓄積端末１２はストリームをデコードし、テレビ１３に音声映像を出力する。【選択図】        図１
2004186944.tif 000002
【特許請求の範囲】
【請求項１】
放送受信機能を搭載し、かつ、ネットワーク接続機能をもつ端末であって、放送されるストリームを受信した際、デジタル放送のストリーム蓄積の要求があった場合は、受信した放送ストリームをネットワーク経由で蓄積装置に送信して蓄積することにより、端末側に受信した放送ストリームの蓄積装置を装備しないことを特徴とするネットワーク蓄積端末。
【請求項２】
ストリームの蓄積機能を備えた蓄積サーバから配信されるストリームをネットワーク経由で入力することにより、端末側に蓄積装置を装備せず蓄積された映像音声をデコード表示することを特徴とするネットワーク蓄積端末。
【請求項３】
放送受信機能を搭載し、かつ、ネットワーク接続機能をもち、受信した放送ストリームの蓄積装置を装備しないネットワーク蓄積端末は、放送されるストリームを受信した際、デジタル放送のストリーム蓄積の要求があった場合は、受信した放送ストリームをネットワーク経由で蓄積装置に送信して蓄積しておき、上記蓄積サーバに蓄積したストリームをネットワーク経由で読み出し入力することにより、上記ストリームを構成する映像音声をデコードして表示することを特徴とするネットワーク蓄積端末における放送ストリーム蓄積再生方法。
【発明の詳細な説明】
【０００１】
【発明の属する技術分野】
この発明は、デジタル放送を受信しネットワーク経由で映像音声を蓄積し再生するネットワーク蓄積端末、及びネットワーク蓄積端末における放送ストリーム蓄積再生方法に関するものである。
【０００２】
【従来の技術】
図３は例えば特開平１１−１１２３７０号公報に示された従来のデジタル放送受信装置を示す構成図であり、図において、１はパソコンのスロットに差し込むコネクタ、２はアンテナ、３はデジタル放送を受信するチューナ、４は映像をデコードするデコード回路、５はデコード回路４によりデコードされた映像を出力する出力回路、６は出力回路５から出力された映像を記憶する記憶回路、７はアンテナ２、チューナ３、デコード回路４、出力回路５及び記憶回路６を制御するとともに、記憶回路６に記憶されている映像をパソコンのＰＣＩバスに出力する制御回路である。
【０００３】
次に動作について説明する。
ボード化されたデジタル放送受信装置は、パソコンのスロットに差し込まれると、デジタル放送を受信して映像をデコードし、その映像をパソコンのＰＣＩバスに出力する。
【０００４】
即ち、チューナ３がデジタル放送を受信すると、デコード回路４が映像をデコードし、その映像を記憶回路６に蓄積する。
そして、制御回路７は、パソコンから映像の出力要求を受けると、記憶回路６に記憶されている映像をコネクタ１に出力して、その映像をパソコンのＰＣＩバスに出力する。
これにより、パソコンはデジタル放送の映像をディスプレイに表示することが可能になる。
【０００５】
【特許文献１】
特開平１１−１１２３７０号公報
【０００６】
【発明が解決しようとする課題】
従来のデジタル放送受信装置は以上のように構成されているので、デジタル放送の映像を受信機の内部でデコードし出力するため、デジタルのストリームを蓄積したり、また、蓄積されたストリームを再生させることができない。
【０００７】
この発明は上記のような課題を解決するためになされたもので、デジタル放送により配信されたデジタルのストリームをネットワークを経由し蓄積サーバに蓄積し、蓄積サーバからネットワークを経由し配信されるストリームの映像音声を再生するネットワーク蓄積端末及びネットワーク蓄積方法を得ることを目的とする。
【０００８】
【課題を解決するための手段】
この発明に係るネットワーク蓄積端末は、デジタル放送を受信しネットワークを経由しネットワーク接続機能およびデジタル放送のストリームの蓄積機能を備えた蓄積サーバに送出することにより、蓄積装置を備えていないネットワーク蓄積端末においてもデジタルのストリームを蓄積する手段を提供するものである。
【０００９】
この発明に係るネットワーク蓄積端末は、ネットワーク接続機能およびデジタル放送のストリームの蓄積機能を備えた蓄積サーバからネットワークを経由し配信されるストリームをネットワーク蓄積端末において受信してデコードすることにより、蓄積装置を備えていないネットワーク蓄積端末においても蓄積ストリームをデコード表示する手段を提供するものである。
【００１０】
【発明の実施の形態】
以下、この発明の実施の一形態を説明する。
実施の形態１．
図１はこの発明の実施の形態１によるネットワーク蓄積端末を示す構成図であり、図において、１１は放送事業者で、１２はデジタル放送を受信するネットワーク蓄積端末、１３はネットワーク蓄積端末から映像音声を受け表示するテレビ、１４は広域のネットワーク網、１５はネットワーク蓄積端末から１２からストリームを受けとり蓄積する蓄積サーバである。
【００１１】
図２はこの発明における実施の形態１における、ネットワーク蓄積端末１２の構成例を示すものであり、２１はアンテナ、２２はチューナ、２３はデコーダ回路、２４は出力回路、２５は記憶回路、２６は電源回路、２７は制御回路、２８は通信回路である。
【００１２】
次に動作について説明する。まず、放送業者１１から放送により配信されるデジタル放送のストリームを、ネットワーク蓄積端末１２が受け、通常の再生においては、テレビ１３に音声映像を出力する。一方、ネットワーク蓄積端末１２側でデジタル放送のストリーム蓄積の要求があった場合、ネットワーク蓄積端末１２は、広域のブロードバンドのネットワーク１４を経由し、サービスセンター側にある蓄積サーバ１５に送信して、蓄積サーバ１５にデジタル放送のストリームを蓄積させる。
【００１３】
蓄積サーバ１５は、デジタル放送のストリームを蓄積しておき、ネットワーク蓄積端末１２側からのネットワーク１４を経由し再生の要求があった場合は、要求のあったストリームをネットワーク１４を経由し配信する。これにより、ネットワーク蓄積端末１２は、蓄積サーバ１５に蓄積しておいた放送ストリームを好きな時に読み出してデコードし、テレビ１３に音声映像を出力させることができる。
【００１４】
以上で明らかなように、この実施の形態１によれば、ネットワーク蓄積端末１２は受信したデジタル放送のストリームを、ネットワーク１４を経由し、蓄積サーバ１５に蓄積することにより、ネットワーク蓄積端末１２側にハードディスクのような蓄積装置を装備することなく、映像音声を蓄積再生できる効果を奏する。
【００１５】
【発明の効果】
以上のように、この発明によれば、ネットワーク蓄積端末側にハードディスクのような蓄積装置を装備することなく、デジタル放送を受信しそのストリームを蓄積する蓄積手段を提供できる効果がある。
【００１６】
また、この発明によれば、ネットワーク蓄積端末側にハードディスクのような蓄積装置を装備してなくても、受信した放送ストリームをネットワーク経由で蓄積装置に送信して記憶させ、好きな時に蓄積されたストリームの映像音声を読み出して再生することができる効果がある。
【図面の簡単な説明】
【図１】この発明の実施の形態１によるネットワーク蓄積端末を示す構成図である。
【図２】図２はこの発明における実施の形態１における、ネットワーク蓄積端末１２の構成例を示す図である。
【図３】従来のデジタル放送受信装置を示す構成図である。
【符号の説明】
１はパソコンのコネクタ、２はアンテナ、３はデジタル放送受信チューナ、４はデコード回路、５は出力回路、６は記憶回路、７は制御回路、１１は放送事業者、１２はデジタル放送を受信するネットワーク蓄積端末、１３はテレビ、１４は広域のネットワーク網、１５は蓄積サーバ、２１はアンテナ、２２はチューナ、２３はデコーダ回路、２４は出力回路、２５は記憶回路、２６は電源回路、２７は制御回路、２８は通信回路である。
【図１】
2004186944.tif 000003
【図２】
2004186944.tif 000004
【図３】
2004186944.tif 000005